(57)【要約】【課題】  ＳＤＭ伝送方式とＳＴＯＢＣ伝送方式を組み合わせたＭＩＭＯ伝送システムにおいて、復号過程における演算量が削減され、且つ受信ダイバーシチにより、通信の信頼性が向上される順序付け遂次復号装置及び方法を提供する。【解決手段】  送信機において、独立したＳＴＯＢＣ符号化を行うことにより、ＭＩＭＯチャネル係数行列Ｈが部分的な直交性を持つことを利用する。この直交性により、逆行列演算を必要としない復号が行え、更に復号過程における順序付け及び逐次的な復号を簡単化することもできるため、受信ダイバーシチを得つつ、演算量を削減することができる。【選択図】図５
2006262428.tif 000002
【特許請求の範囲】
【請求項１】
送信機が、独立したＳＴＯＢＣ（Ｓｐａｃｅ−Ｔｉｍｅ  Ｏｒｔｈｏｇｏｎａｌ  Ｂｌｏｃｋ  Ｃｏｄｉｎｇ）符号化を行う手段を備え、受信機が、送受信アンテナ間の伝送路を推定する手段を備えているＭＩＭＯ（Ｍｕｌｔｉ−Ｉｎｐｕｔ  Ｍｕｌｔｉ−Ｏｕｔｐｕｔ）伝送システムにおいて、受信機における復号過程の演算量の削減と、受信ダイバーシチによる通信の信頼性の向上とを同時に達成することを特徴とする順序付け遂次復号装置。
【請求項２】
送信機が、独立したＳＴＯＢＣ符号化を行う手段を備え、受信機が、送受信アンテナ間の伝送路を推定する手段を備えているＭＩＭＯ伝送システムにおいて、受信機における復号過程の演算量の削減と、受信ダイバーシチによる通信の信頼性の向上とを同時に達成することを特徴とする順序付け遂次復号方法。
【発明の詳細な説明】
【技術分野】
【０００１】  本発明は、ＭＩＭＯ（Ｍｕｌｔｉ−Ｉｎｐｕｔ  Ｍｕｌｔｉ−Ｏｕｔｐｕｔ）伝送システムにおける受信機の復号装置及び方法に関連し、特に、送信機が、独立した系列に対してＳＴＯＢＣ（Ｓｐａｃｅ−Ｔｉｍｅ  Ｏｒｔｈｏｇｏｎａｌ  Ｂｌｏｃｋ  Ｃｏｄｉｎｇ）符号化を行う手段を備え、受信機が、各送受信アンテナ間のチャネル係数を推定する手段を備えているＭＩＭＯ伝送システムにおける受信機の復号装置及び方法に関する。
【背景技術】
【０００２】  ＭＩＭＯ伝送方式には、高速伝送を目的とする方式と高信頼度伝送を目的とする方式の二つの基本的なクラスがある。前者に属する方式として、ＳＤＭ（Ｓｐａｃｅ  Ｄｉｖｉｓｉｏｎ  Ｍｕｌｔｉｐｌｅｘｉｎｇ）伝送方式があり、後者に属する方式として、ＳＴＢＣ（Ｓｐａｃｅ−Ｔｉｍｅ  Ｂｌｏｃｋ  Ｃｏｄｉｎｇ）伝送方式がある。【０００３】  ＳＤＭ伝送方式は、多数の送信アンテナから同一時刻，同一周波数帯域で異なる信号を送信することにより周波数利用効率を向上させ、高速伝送を図る方式である。ＳＤＭ伝送方式では、各送信アンテナから同一時刻，同一周波数帯域で異なる信号を送信するため、受信アンテナで受信する信号は各送信アンテナからの信号が干渉し合ったものとなる。このため、受信信号から送信信号を復号するには干渉除去を行う必要があり、その一つの方式として、Ｖ−ＢＬＡＳＴ（Ｖｅｒｔｉｃａｌ−Ｂｅｌｌ  Ｌａｂｓ  Ｌａｙｅｒｅｄ  Ｓｐａｃｅ  Ｔｉｍｅ）方式がある。（非特許文献１参照）【０００４】  Ｖ−ＢＬＡＳＴ方式は、事前に推定されたＭＩＭＯチャネル係数行列Ｈを元に、重み行列を求め、この重み行列を用いて受信信号から最も雑音の影響を受けていない送信信号を探し出し、この送信信号を硬判定復号し、受信信号から復号した送信信号の干渉を除去した後、ＭＩＭＯチャネル係数行列Ｈから復号した送信信号に対応したチャネル係数をヌリング（Ｎｕｌｌｉｎｇ）して新しいチャネル係数行列を作る、という過程を全ての送信信号を復号するまで繰り返し行う順序付け遂次復号方式である。Ｖ−ＢＬＡＳＴ方式は、このような復号を行うことで、受信ダイバーシチを達成し、通信の信頼性を向上させる方式である。重み行列としては、ＺＦ（Ｚｅｒｏ  Ｆｏｒｃｉｎｇ）基準のものやＭＭＳＥ（Ｍｉｎｉｍｕｍ  Ｍｅａｎ  Ｓｑｕａｒｅ  Ｅｒｒｏｒ）基準のものがある。【０００５】  一方、ＳＴＢＣ伝送方式は、マルチパスフェージング環境において、多数の送信アンテナから適切に符号化された信号を送信し、受信信号に対して最大比合成を行うことで送信ダイバーシチを達成し、高信頼度伝送を図る方式であり、その一つの方式として、ＳＴＯＢＣ方式が知られている。（例えば、非特許文献２参照）【０００６】  非特許文献２に示されるＳＴＯＢＣ方式は、二つの複素送信信号に対して直交性を持つように符号化を行い、二つの送信アンテナから符号化した信号を送信し、受信信号に対して最大比合成を行うことで、符号化率Ｒ＝１と、送信アンテナ数のフル送信ダイバーシチとを達成する方式である。【０００７】  また、非特許文献３及び非特許文献４により、上記ＳＤＭ伝送方式と上記ＳＴＯＢＣ伝送方式とを組み合わせたＭＩＭＯ伝送システムが提案されている。非特許文献３及び非特許文献４によれば、前記ＭＩＭＯ伝送システムにおいては、４送信アンテナと２受信アンテナとを用いることで、周波数利用効率の向上による高速伝送と、送信ダイバーシチによる高信頼度伝送とを同時に達成することができる。しかし、非特許文献３にあっては、復号過程において、逆行列演算を行う必要があり、その演算量はＯ（Ｍ３）となり、更に受信ダイバーシチを達成することができない。また、非特許文献４にあっては、復号過程において、逆行列演算を必要とせず、復号過程における演算量はＯ（Ｍ２）となるが、非特許文献３と同様に、受信ダイバーシチを達成することができない。【０００８】  ここで、上記ＭＩＭＯ伝送システムの送信機ブロック図を図１に示し、上記ＭＩＭＯ伝送システムの受信機ブロック図を図２に示す。【０００９】  図１に示す送信機は、マッパー１０１と、Ｓ／Ｐ（シリアル／パラレル）変換器１０２と、ＳＴＯＢＣ符号器１０３ａ，１０３ｂと、変調器１０４ａ，１０４ｂ，１０４ｃ，１０４ｄと、アンテナ１０５ａ，１０５ｂ，１０５ｃ，１０５ｄとを備える。図２に示す受信機は、アンテナ２０１ａ，２０１ｂと、復調器２０２ａ，２０２ｂと、チャネル係数推定器２０３ａ，２０３ｂと、復号器２０４と、Ｐ／Ｓ（パラレル／シリアル）変換器２０５と、デ・マッパー２０６とを備える。【００１０】  図１に示す送信機においては、ユーザ・データは、マッパー１０１によりＰＳＫ（Ｐｈａｓｅ  Ｓｈｉｆｔ  Ｋｅｙｉｎｇ）／ＱＡＭ（Ｑｕａｄｒａｔｕｒｅ  Ａｍｐｌｉｔｕｄｅ  Ｍｏｄｕｌａｔｉｏｎ）コンスタレーション・マッピングされる。マッピングされた信号は、Ｓ／Ｐ変換器１０２によりＳ／Ｐ変換される。Ｓ／Ｐ変換された信号Ｓ１，Ｓ２は、それぞれＳＴＯＢＣ符号器１０３ａ，１０３ｂにより２シンボル毎にＳＴＯＢＣ符号化される。ＳＴＢＣ符号後のＳＴＢＣ符号化信号ＥＣ１，ＥＣ２，ＥＣ３，ＥＣ４は、それぞれ変調器１０４ａ，１０４ｂ，１０４ｃ，１０４ｄによりベースバンド信号から無線伝送信号に変調され、それぞれ送信アンテナ１０５ａ，１０５ｂ，１０５ｃ，１０５ｄから送信される。【００１１】  ＳＴＯＢＣ符号器１０３ａ，１０３ｂにおいて行われる符号化は、それぞれ式（１），式（２）で表すことが出来る。
2006262428.tif 000003
式（１）におけるＳ１（ｔ１）及びＳ１（ｔ２）は、それぞれ信号Ｓ１の時点ｔ１，ｔ２における信号であり、式（２）における信号Ｓ２（ｔ１）及びＳ２（ｔ２）は、それぞれ信号Ｓ２の時点ｔ１，ｔ２における信号である。また、＊  は複素共役である。【００１２】  図２に示す受信機においては、アンテナ１０５ａ，１０５ｂ，１０５ｃ，１０５ｄから送信された無線伝送信号が、マルチパス伝送路の影響を受けて、アンテナ２０１ａ，２０１ｂにより受信される。受信された信号は、復調器２０２ａ，２０２ｂにより無線伝送信号からベースバンド信号に復調される。復調された信号Ｒ１，Ｒ２は、チャネル係数推定器２０３ａ，２０３ｂにより推定されたＭＩＭＯチャネル係数行列Ｈを元に、復号器２０４により復号される。復号された信号ＤＣ１，ＤＣ２，ＤＣ３，ＤＣ４は、Ｐ／Ｓ変換器２０５によりＰ／Ｓ変換される。Ｐ／Ｓ変換された信号は、デ・マッパー２０６によりＰＳＫ／ＱＡＭコンスタレーション・デ・マッピングされ、ユーザ・データに復元される。【００１３】  ＭＩＭＯチャネル係数行列Ｈは、送信機において、事前にトレーニング信号を送信させることで、受信機のチャネル係数推定器２０３ａ，２０３ｂにより推定される。【００１４】  ここで、図３に送信アンテナ−受信アンテナ間の伝送路モデル図を示す。この伝送路環境は、マルチパスフェージング環境であるとする。また、簡単のため、トレーニング信号及びＳＴＯＢＣ符号化信号を送信する時間間隔の間は、伝送路が変化しないものとする。また、各送受信アンテナ間の伝送路は、それぞれ独立しているものとする。【００１５】  図３に示す伝送路における送信アンテナ−受信アンテナ間のチャネル係数を表１に示す。なお、各チャネル係数は複素数とする。
【表１】
2006262428.tif 000004
【００１６】  ここで、信号Ｒ１及びＲ２は、式（３）のように表すことができる。
Ｒ＝Ｈ・Ｓ＋Ｎ                              式（３）
ここで、Ｒ，Ｈ，Ｓ，Ｎは、
2006262428.tif 000005
である。
Ｒ１（ｔ１）及びＲ１（ｔ２）は、それぞれ信号Ｒ１の時点ｔ１，ｔ２における信号であり、Ｒ２（ｔ１）及びＲ２（ｔ２）は、それぞれ信号Ｒ２の時点ｔ１，ｔ２における信号であり、Ｎ１（ｔ１），Ｎ１（ｔ２），Ｎ２（ｔ１），Ｎ２（ｔ２）は、それぞれ信号Ｒ１（ｔ１），Ｒ１（ｔ２），Ｒ２（ｔ１），Ｒ２（ｔ２）に対して付加される白色熱雑音である。【００１７】  非特許文献３によれば、復号においては、ＭＩＭＯチャネル係数行列Ｈを元にしたＺＦ基準の線形方式を適用することで信号ＤＣ１，ＤＣ２，ＤＣ３，ＤＣ４を復号することができ、その演算処理及び演算結果は式（４）で表される。
ＤＣ＝Ｈ−１・Ｒ＝Ｓ＋Ｈ−１・Ｎ                            式（４）
ここで、ＤＣは、
ＤＣ＝［ＤＣ１  ＤＣ２  ＤＣ３  ＤＣ４］Ｔ
であり、Ｈ−１・Ｎは、白色熱雑音による誤差成分である。【００１８】  上記ＭＩＭＯ伝送システムの復号においては、ＭＩＭＯチャネル係数行列Ｈを元にした、ＭＭＳＥ基準の線形方式やＺＦ基準及びＭＭＳＥ基準のＶ−ＢＬＡＳＴ方式を適用することでも復号を行うことができる。【００１９】
【非特許文献１】Ｇ．Ｄ．Ｇｏｌｄｅｎ，Ｃ．Ｊ．Ｆｏｓｃｈｉｎｉ，Ｒ．Ａ．Ｖａｌｅｎｚｕｅｌａ  ａｎｄ  Ｐ．Ｗ．Ｗｏｌｎｉａｎｓｋｙ，“Ｄｅｔｅｃｔｉｏｎ  ａｌｇｏｒｉｔｈｍ  ａｎｄ  ｉｎｉｔｉａｌ  ｌａｂｏｒａｔｏｒｙ  ｒｅｓｕｌｔｓ  ｕｓｉｎｇ  Ｖ−ＢＬＡＳＴ  ｓｐａｃｅ−ｔｉｍｅ  ｃｏｍｍｕｎｉｃａｔｉｏｎ  ａｒｃｈｉｔｅｃｔｕｒｅ”，Ｅｌｅｃｔｏｒｏｎｉｃｓ  Ｌｅｔｔｅｒｓ  ７ｔｈ  Ｊａｎｕａｒｙ  １９９９  Ｖｏｌ．３５  Ｎｏ．１
【非特許文献２】Ｓ．Ｍ．Ａｌａｍｏｕｔｉ，  “Ａ  Ｓｉｍｐｌｅ  Ｔｒａｎｓｍｉｔ  Ｄｉｖｅｒｓｉｔｙ  Ｔｅｃｈｎｉｑｕｅ  ｆｏｒ  Ｗｉｒｅｌｅｓｓ  Ｃｏｍｍｕｎｉｃａｔｉｎｓ”，ＩＥＥＥ，Ｊｏｕｒｎａｌ  ｏｎ  Ｓｅｌｅｃｔｅｄ  Ａｒｅａｓ  ｏｆ  Ｃｏｍｍｕｎｉｃａｔｉｎｓ，１９９８  Ｖｏｌ．１６  Ｎｏ．８
【非特許文献３】平  明徳，石津  文雄，村上  圭司，  “ＳＤＭおよびＳＴＣを用いるＭＩＭＯ−ＯＦＤＭシステムの受信特性”，電子情報通信学会技術研究報告，ＣＳ２００３−４２
【非特許文献４】Ｘ．Ｚｈｕａｎｇ，Ｆ．Ｗ．Ｖｏｏｋ，Ｓ．Ｒｏｕｑｕｅｔｔｅ−Ｌｅｖｅｉｌ  ａｎｄ  Ｋ．Ｇｏｓｓｅ，“Ｔｒａｎｓｍｉｔ  Ｄｉｖｅｒｓｉｔｙ  ａｎｄ  Ｓｐａｔｉａｌ  Ｍｕｌｔｉｐｌｅｘｉｎｇ  ｉｎ  Ｆｏｕｒ−Ｔｒａｎｓｍｉｔ−Ａｎｔｅｎｎａ  ＯＦＤＭ”，ＩＥＥＥ，Ｉｎｔｅｒｎａｔｉｏｎａｌ  Ｃｏｎｆｅｒｅｎｃｅ  ｏｎ  Ｃｏｍｍｕｎｉｃａｔｉｏｎｓ，２００３  Ｖｏｌ．２６  Ｎｏ．１
【発明の開示】
【発明が解決しようとする課題】
【００２０】  上記ＭＩＭＯ伝送システムにおいて、ＺＦ基準及びＭＭＳＥ基準の線形方式により復号を行う場合は、復号過程における演算量はＯ（Ｍ３）となり、受信ダイバーシチを達成することができない。また、非特許文献４における復号方法を行う場合は、逆行列演算を行う必要がなくなり、復号過程における演算量はＯ（Ｍ２）となるが、線形方式と同様に、受信ダイバーシチを達成することができない。更に、上記ＭＩＭＯ伝送システムにおいて、ＺＦ基準及びＭＭＳＥ基準のＶ−ＢＬＡＳＴ方式により復号を行う場合は、受信ダイバーシチを達成することはできるが、復号過程において、逆行列演算を複数回行う必要があり、Ｏ（Ｍ４）の演算量が必要となる。ここで、Ｍは、同一時刻，同一周波数で送信する異なる信号の数である。まな、本書類における演算量は、簡単のために、乗算の回数を表すものと定義する。【００２１】  本発明は、上記のような問題を解決するためになされたものであり、その目的は、復号過程における演算量を削減と、受信ダイバーシチによる通信の信頼性の向上とを同時に達成する順序付け遂次復号装置及び方法を提案することである。
【課題を解決するための手段】
【００２２】  上記ＭＩＭＯ伝送システムの送信機においては、独立したＳＴＯＢＣ符号化を行うことで、ＭＩＭＯチャネル係数行列Ｈが部分的な直交性を持つ。この直交性を利用することにより、ＺＦ基準及びＭＭＳＥ基準の重み行列を用いた順序付け遂次復号において、逆行列演算を必要としない復号が行え、更に復号過程における順序付け及び遂次的な復号を簡単化することができる。これらにより、復号過程における演算量の削減と、受信ダイバーシチによる通信の信頼性の向上とを同時に達成する順序付け遂次復号を行う
【発明の効果】
【００２３】  本発明である順序付け遂次復号装置及び方法にあっては、ＳＤＭ伝送方式及びＳＴＢＣ伝送方式を組み合わせたＭＩＭＯ伝送システムの受信機における復号過程において、逆行列演算を必要としない復号が行え、更に復号過程において、順序付け及び遂次的な復号を簡単化することできる。その結果、復号過程における演算量をＯ（Ｍ２）に削減でき、且つ受信ダイバーシチにより、通信の信頼性を向上することができる。
【発明を実施するための最良の形態】
【００２４】  本発明の実施形態を、図面を参照して詳細に説明する。【００２５】  本発明に係る送信機については、既に上述し、ブロック図を図１に示した。【００２６】  図４に、本発明に係る受信機のブロック図を示す。【００２７】  図４に示す受信機は、アンテナ２０１ａ，２０１ｂと、復調器２０２ａ，２０２ｂと、チャネル係数推定器２０３ａ，２０３ｂと、本発明である順序付け遂次復号を行う復号器２１０と、Ｐ／Ｓ変換器２０５と、デ・マッパー２０６とを備える。【００２８】  図４に示す受信機においては、アンテナ１０５ａ，１０５ｂ，１０５ｃ，１０５ｄから送信された無線伝送信号が、マルチパス伝送路の影響を受けて、アンテナ２０１ａ，２０１ｂにより受信される。受信された信号は、復調器２０２ａ，２０２ｂにより無線伝送信号からベースバンド信号に復調される。復調された信号Ｒ１，Ｒ２は、チャネル係数推定器２０３ａ，２０３ｂにより推定されたチャネル係数を元に、本発明である順序付け遂次復号を行う復号器２１０より復号される。復号された信号ＤＣ１，ＤＣ２，ＤＣ３，ＤＣ４は、Ｐ／Ｓ変換器によりＰ／Ｓ変換される。Ｐ／Ｓ変換された信号は、デ・マッパー２０５によりＰＳＫ／ＱＡＭコンスタレーション・デ・マッピングされ、ユーザ・データに復元される。【００２９】  チャネル係数は、送信機において、事前にトレーニング信号を送信させることで、受信機のチャネル係数推定器２０３ａ，２０３ｂにより推定される。【００３０】  復調後の信号Ｒ１，Ｒ２は、各チャネル係数と変調前の信号ＥＣ１，ＥＣ２，ＥＣ３，ＥＣ４を用いて、式（５）で表すことが出来る。
2006262428.tif 000006
ここで、Ｎ１，Ｎ２は、信号Ｒ１，Ｒ２に対して付加される白色熱雑音である。【００３１】  また、信号Ｒ１，Ｒ２の時点ｔ１，ｔ２における信号は、式（１），式（２）及び式（５）より式（３）のように表すことができる。【００３２】  ここで、ＭＩＭＯチャネル係数行列Ｈに対して、Ｈのエルミート転置を乗算すると、ＭＩＭＯチャネル係数行列Ｈが部分的な直交性を持つため、式（６）のようになる。
2006262428.tif 000007
但し、α，β，γ，δは、
2006262428.tif 000008
である。【００３３】  式（６）において、行列Ｗの１行２列と、２行１列と、３行４列と、４行３列の要素はＮｕｌｌｉｎｇされている。これは、図１に示す送信機において、ＳＴＯＢＣ符号化を行うことで、信号Ｓ１（ｔ１）と信号Ｓ１（ｔ２）は互いに完全に干渉除去され、信号Ｓ２（ｔ１）と信号Ｓ２（ｔ２）も互いに完全に干渉除去されることを示している。
また、行列Ｗの対角成分は、それぞれ信号Ｓ１（ｔ１），Ｓ１（ｔ２），Ｓ２（ｔ１），Ｓ２（ｔ２）の送信ダイバーシチゲインであり、信号Ｓ１（ｔ１）及び信号Ｓ１（ｔ２）は同じ送信ダイバーシチゲインαを得て、信号Ｓ２（ｔ１）及び信号Ｓ２（ｔ２）は同じ送信ダイバーシチゲインβを得ることを示している。【００３４】  復号過程における順序付けは、信号Ｓ１（ｔ１）及び信号Ｓ１（ｔ２）に対する送信ダイバーシチゲインαと、信号Ｓ２（ｔ１）及び信号Ｓ２（ｔ２）に対する送信ダイバーシチゲインβとを比較して行う。α＞βである場合は、信号Ｓ１（ｔ１）と信号Ｓ１（ｔ２）とを先に復号し、α＜βである場合、信号Ｓ２（ｔ１）と信号Ｓ２（ｔ２）とを先に復号する。【００３５】  本発明である順序付け遂次復号装置及び方法において、ＺＦ基準及びＭＭＳＥ基準の重み行列を用いた場合の復号過程を示したフローチャート図を図５に示す。また、復号過程における演算処理の詳細について図５を参照しつつ以下に説明する。【００３６】  まず、式（３）における信号群Ｒに対して、推定されたＭＩＭＯチャネル係数行列Ｈのエルミート転置を乗算し、信号群Ｙを求める（ＦＣ５１）。この演算処理を式（７）に示す。
Ｙ＝ＨＨ・Ｒ                                                式（７）
但し、Ｙ及びＮ′は、
Ｙ＝［Ｙ１  Ｙ２  Ｙ３  Ｙ４］Ｔ，Ｎ′＝ＨＨ・Ｎ
である。
ここで、ＺＦ基準の重み行列を用いる場合は、式（８）に示す演算によりＡ，Ｂを求め、ＭＭＳＥ基準の重み行列を用いる場合は、式（９）に示す演算によりＡ，Ｂを求める（ＦＣ５２）。
2006262428.tif 000009
2006262428.tif 000010
但し、σ２は、信号群Ｒに対して付加される白色熱雑音の分散値である。
また、式（１０）に示す演算によりγ，δを求める（ＦＣ５３）。
2006262428.tif 000011
次に、ＡとＢとの比較行い（ＦＣ５４）、Ａ＞Ｂである場合（ＳＷ５１ａ）は、まず、式（１１）に示す演算を行うことで、信号ＤＣ１，ＤＣ２を求める（ＦＣ５５ａ）。その後、式（１２）に示すように、信号ＤＣ１，ＤＣ２に対して、硬判定復号を行う（ＦＣ５６ａ）。最後に、式（１３）に示す演算を行うことで、信号ＤＣ３，ＤＣ４を求める（ＦＣ５７ａ）。
2006262428.tif 000012
ここで、Ｑは、硬判定復号を表す。
一方、Ａ＜Ｂである場合（ＳＷ５１ｂ）は、まず、式（１４）に示す演算を行うことで、信号ＤＣ３，ＤＣ４を求める（ＦＣ５５ｂ）。その後、式（１５）に示すように、信号ＤＣ３，ＤＣ４に対して、硬判定復号を行う（ＦＣ５６ｂ）。最後に、式（１６）に示す演算を行うことで、信号ＤＣ１，ＤＣ２を求める（ＦＣ５７ｂ）。
2006262428.tif 000013
2006262428.tif 000014
【００３７】      本発明である順序付け遂次復号の演算量の詳細を以下に示す。本発明である順序付け遂次復号の復号過程は、上述したように式（７）〜式（１６）に示す演算及び処理からなる。ここで、それぞれの式に示す演算に必要な演算量を表２に示す。但し、表２におけるＭは、上述したように、同一時刻，同一周波数で送信する異なる信号の数であり、ここでは、Ｍ＝４である。
【表２】
2006262428.tif 000015
【００３８】  本発明である順序付け遂次復号の復号過程は、上述したように式（７）〜式（１６）に示す演算及び処理からなり、それらの演算量を表２に示した。一度の復号過程において、重み行列は、ＺＦ基準かＭＭＳＥ基準のどちらか一方しか用いないため、式（８）に示す演算と式（９）に示す演算を同時に行うことはない。また、ＡとＢの比較により、演算及び処理を分岐させるため、式（１１）〜式（１３）に示す演算と式（１４）〜式（１６）に示す演算も同時に行うことはない。以上より、本発明である順序付け遂次復号の演算量は、Ｏ（Ｍ２）となる。
【図面の簡単な説明】
【００３９】
【図１】  非特許文献３で提案されるＭＩＭＯ伝送システムの送信機を示すブロック図
【図２】  非特許文献３で提案されるＭＩＭＯ伝送システムの受信機を示すブロック図
【図３】  各送受信アンテナ間の伝送路を示すモデル図
【図４】  本発明に係る受信機を示すブロック図
【図５】  本発明である順序付け遂次復号方式の過程を示すフローチャート図
【符号の説明】
【００３７】１０１．．．マッパー
１０２．．．Ｓ／Ｐ変換器
１０３．．．ＳＴＯＢＣ符号器
１０４．．．変調器
１０５．．．送信アンテナ
２０１．．．受信アンテナ
２０２．．．復調器
２０３．．．チャネル係数推定器
２０４．．．復号器
２０５．．．Ｐ／Ｓ変換器
２０６．．．デ・マッパー
２１０．．．本発明である順序付け遂次復号器
【図１】
2006262428.tif 000016
【図２】
2006262428.tif 000017
【図３】
2006262428.tif 000018
【図４】
2006262428.tif 000019
【図５】
2006262428.tif 000020